(57)【特許請求の範囲】
【請求項１】
複数種類の撮影パラメータを複数段階に変化させて撮影する撮影手段と、
前記撮影手段により撮影された複数枚の撮影画像に対して画像処理を施し、それぞれの表示用画像を生成する生成手段と、
前記生成手段により生成された前記表示用画像を表示する表示手段と、
前記表示手段における画像表示を制御する制御手段と、
を備え、
前記制御手段は、
基準の撮影パラメータに対応した１枚の表示用画像を用いて複製した複数枚の表示用画像を表示する第１の表示を行った後に、前記生成手段によって生成されたそれぞれの表示用画像に順に置き換えて表示する第２の表示を行うことを特徴とする撮像装置。
【請求項２】
前記基準の撮影パラメータは、その値が最も小さいパラメータであることを特徴とする請求項１に記載の撮像装置。
【請求項３】
前記基準の撮影パラメータは、その値が最も大きいパラメータであることを特徴とする請求項１に記載の撮像装置。
【請求項４】
前記基準の撮影パラメータは、その値が予め設定された任意の値であることを特徴とする請求項１に記載の撮像装置。
【請求項５】
前記制御手段は、前記基準の撮影パラメータの値を始点として、前記撮影パラメータの値が大きくなる順または小さくなる順に、前記生成手段によって生成された表示用画像に置き換えて表示することを特徴とする請求項１から４の何れかに１項に記載の撮像装置。
【請求項６】
前記制御手段は、前記表示用画像を置き換える際に、置き換え対象の画像領域に対して、画像の置き換えを通知する表示を行うことを特徴とする請求項１から５の何れかに１項に記載の撮像装置。
【請求項７】
前記撮影パラメータの種類は２種類であることを特徴とする請求項１から６の何れか１項に記載の撮像装置。
【発明の詳細な説明】
【技術分野】
【０００１】
本発明は、撮像装置に関し、特に複数種類の撮影パラメータを複数段階に変化させてブラケット撮影を行う撮像装置に関するものである。
【背景技術】
【０００２】
近年、一度に多くの撮影パラメータを変化させブラケット撮影を行う多軸ブラケット撮影の機能を備えた記録装置が開発されている。
【０００３】
下記特許文献１では、２種類の撮影パラメータを同時に変化させるブラケット撮影が可能な２軸ブラケット撮影機能を備えた技術が開示されている。特許文献１に開示された技術では、撮影画像を表示する際に、第１の撮影パラメータを変化させ得られた画像を縦方向に並べ、第２の撮影パラメータを変化させ得られた画像を横方向に並べて表示する構成としている。これにより、どの撮影パラメータを変化させてブラケット撮影した画像かを表示画像から容易に判断することが可能となる。
【先行技術文献】
【特許文献】
【０００４】
【特許文献１】特開２００２−０５１２５０号公報
【発明の概要】
【発明が解決しようとする課題】
【０００５】
上記特許文献１に開示された従来技術の構成では、２種類の撮影パラメータを各々３段階に振る２軸ブラケット撮影の場合、一度に３２＝９枚の表示用画像が表示される。
【０００６】
ここで、撮影後の記録用静止画を記録前に、予め設定された時間だけ自動的に表示画面に表示するレックビューと称される機能が知られている。
【０００７】
ブラケット撮影においてレックビュー機能の適用を想定した場合、撮影した全ての画像を生成して表示するまでに多くの時間を必要とするため、ユーザにストレスを生じさせるといった問題がある。
【０００８】
本発明は、上記の問題に鑑み、ブラケット撮影において、それぞれの撮影パラメータに対応した表示用画像を生成して表示するまでにユーザへ与えるストレスを軽減した撮像装置を提供することを目的とする。
【課題を解決するための手段】
【０００９】
本発明の一態様によれば、複数種類の撮影パラメータを複数段階に変化させて撮影する撮影手段と、前記撮影手段により撮影された複数枚の撮影画像に対して画像処理を施し、それぞれの表示用画像を生成する生成手段と、前記生成手段により生成された前記表示用画像を表示する表示手段と、前記表示手段における画像表示を制御する制御手段と、を備え、前記制御手段は、基準の撮影パラメータに対応した１枚の表示用画像を用いて複製した複数枚の表示用画像を表示する第１の表示を行った後に、前記生成手段によって生成されたそれぞれの表示用画像に順に置き換えて表示する第２の表示を行うことを特徴とする撮像装置である。
【発明の効果】
【００１０】
本発明によれば、ブラケット撮影において、それぞれの撮影パラメータに対応した表示用画像を生成して表示するまでにユーザへ与えるストレスを軽減することが可能となる。
【図面の簡単な説明】
【００１１】
【図１】撮像装置の構成を示すブロック図。
【図２】第１の実施形態における表示部の画面遷移を説明する図。
【図３】第１の実施形態における撮像装置の動作処理を示すフローチャート。
【図４】第２の実施形態における撮像装置の動作処理を示すフローチャート。
【発明を実施するための形態】
【００１２】
以下、図面を参照しながら本発明の実施の形態を説明する。
【００１３】
（第１の実施形態）
以下、本発明の第１の実施形態について説明する。図１は、本発明の第１の実施形態における撮像装置１００の構成を示すブロック図である。
【００１４】
ＣＰＵ１０１は、撮像装置１００の全ての動作を統括し制御する制御部である。
【００１５】
撮像素子１０２は、被写体の光学像を電気信号に変換するためのＣＣＤやＣＭＯＳからなる撮像素子である。
【００１６】
Ａ／Ｄ変換回路１０３は、撮像素子１０２から出力されるアナログ信号をデジタル信号に変換する変換回路である。
【００１７】
タイミング発生回路１０４は、ＣＰＵ１０１により制御され、撮像素子１０２、Ａ／Ｄ変換回路１０３にクロック信号や制御信号を供給する。
【００１８】
記憶部であるＲＡＭ１０５は、ＣＰＵ１０１のワークエリアとして使用されて一時記録領域として機能する。ＲＡＭ１０５には、撮像素子１０２により撮像された画像データも格納され、所定枚数の画像データを格納するのに十分な容量を備えている。
【００１９】
記憶部であるＲＯＭ１０６は、後述のフローチャート等で示される制御プログラムを格納して記憶する。
【００２０】
画像処理部１０７は、撮影の結果得られた画像データの補正等の処理を行う。
【００２１】
表示画像生成部１０８は、後述する表示部１１１に表示する表示画像を生成する。また、表示画像生成部１０８は、複数の画像データを並べて合成する画像配置機能を有している。
【００２２】
静止画撮像スイッチ１０９は、ユーザが静止画撮像指示を行うためのスイッチである。
【００２３】
操作部１１０は、ユーザが撮像装置１００の設定等を行うために用いられる。
【００２４】
表示部１１１は、撮像装置１００の各種設定画面や撮像された静止画を表示、再生する。
【００２５】
コネクタ１１２は、メモリカードやハードディスク等の外部記録装置とのＩ／Ｆ（インタフェース）として機能し、コネクタ１１３はメモリカードやハードディスク等との外部記録装置と接続を行う。
【００２６】
外部記憶装置１２０は、メモリカードやハードディスク等の記録装置であり、コネクタ１２１は撮像装置１００との接続を行う。Ｉ／Ｆ１２２は撮像装置１００とのインタフェースとして機能し、記録部１２３は静止画を記録する記録部として機能する。
【００２７】
本実施形態では、撮像装置１００は外部記録装置１２０を取り付けるＩ／Ｆ及びコネクタを一系統持つものとして説明しているが、外部記録装置１２０を取り付けるＩ／Ｆ及びコネクタは、単数或いは複数、いずれの系統数を備える構成としても構わない。また、異なる規格のＩ／Ｆおよびコネクタを組み合わせて備える構成としても構わない。
【００２８】
次に、上記構成を有する撮像装置１００において、ブラケット撮影における表示部１１１の標示状態の遷移について図２に示す図を用いて説明する。
【００２９】
図２は、２種類の撮影パラメータのそれぞれについて、所定の値を中心値として、マイナス方向に１段階、プラス方向に１段階の計３段階に変化された２軸ブラケット撮影の場合の例となる。
【００３０】
図２（ｆ）は、表示部１１１の画面の表示状態の最終形態である。画面の中心には第１の撮影パラメータと第２の撮影パラメータの双方を中心値に設定して撮影した画像（画像５）が配置される。
【００３１】
画像５に対して第１の撮影パラメータのみをプラス方向に１段階変化させた画像（画像８）が画像５の隣接上部に、第１の撮影パラメータのみをマイナス方向に１段階変化させた画像（画像２）が画像５の隣接下部に配置される。また、画像５に対して第２の撮影パラメータのみをプラス方向に１段階変化させた画像（画像７）が画像５の隣接右部に、マイナス方向に１段階変化させた画像（画像４）が画像５の隣接左部に配置される。
【００３２】
パラメータレベル２０１は第１、第２の撮影パラメータ各々の中心値からの変化の段階を表す。括弧内の左の数値が第１の撮影パラメータ、右の数値が第２の撮影パラメータに対応する。例えば画像４は、パラメータレベル２０１が（＋，−）であるので、第１の撮影パラメータを中心値からプラス方向に１段階、第２の撮影パラメータを中心値からマイナス方向に１段階変化させ撮影した画像であることを表す。
【００３３】
パラメータレベル２０２は第１、第２の撮影パラメータの中心値からの変化の段階の合計を表す。例えば、画像４では、（＋１）＋（−１）で０となる。２０２の値を、以降の説明では、パラメータ変化量合計値とする。
【００３４】
なお、パラメータレベル２０１、パラメータレベル２０２は各画像の特性を説明するために記載しているものであり、実際の表示部１１１に表示されるわけではない。以下、撮像装置１００のブラケット撮影後における表示部１１１の画面の表示状態の遷移について説明する。
【００３５】
まず、図２（ａ）に示すように、パラメータ変化量合計値（基準の撮影パラメータ）が最小となる画像（画像１）を、縦方向、横方向にそれぞれ３枚ずつ並べた計９枚の基準となる画像を生成し、表示部１１１に表示する（第１の表示）。
【００３６】
次に、図２（ｂ）に示すように、第１の表示を行った後に、パラメータ変化量合計値が２番目に小さい画像（画像２、画像３）を画像１から置き換えた表示用画像を生成し、表示する。
【００３７】
なお、画像の置き換えが行われる領域は図２（ｆ）の最終形態となるように予め定められている。
【００３８】
次に、図２（ｃ）に示すように、パラメータ変化量合計値が３番目に小さい画像（画像４、画像５、画像６）を画像１から置き換えた表示用画像を生成し、表示する。
【００３９】
次に、図２（ｄ）に示すように、パラメータ変化量合計値が４番目に小さい画像（画像７、画像８）を画像１から置き換えた表示用画像を生成し、表示する。
【００４０】
最後に、図２（ｅ）に示すように、パラメータ変化量合計値が５番目に小さい画像（画像９）を画像１から置き換えた表示用画像を生成し、表示する。
【００４１】
このように、図２（ａ）に示すように画像１を並べた第１の表示を行った後に、図２（ｂ）から図２（ｅ）に示すように、表示用画像の置き換えを順次行って第２の表示を実行する。なお、表示用画像の置き換えが実行された領域では、置き換え後、置き換えられた表示用画像をそのまま継続して表示する。
【００４２】
また、上記の例のように、隣接する画像を順に置き換えていくことによって、ユーザは撮影パラメータの変化による画像の変化を容易に視認することが可能となるので、好適である。
【００４３】
次に、上記構成を有する撮像装置１００を用いたブラケット撮影画像表示処理について図３に示すフローチャートを用いて説明する。
【００４４】
図３のフローチャートに示す処理は、撮像装置１００のＣＰＵ１０１が入力信号やプログラムに従い、撮像装置１００の各部を制御することにより実現される。図３のフローチャートは、Ｍ種類の撮影パラメータをＮ段階に変化させるブラケット撮影終了後、撮像した画像データに対し、画像処理が行われる前に実行される。
【００４５】
図２では（Ｍ，Ｎ）＝（２、３）の例を用いて説明したが、以下のフローチャートの説明においては一般化してＭ種類、Ｎ段階として説明する。なお、Ｍ、Ｎは２以上の整数値であればよく、複数種類の撮影パラメータを複数段階に変化させることができればよい。
【００４６】
まずステップＳ４０１では、撮像した全画像データに対し、各ブラケット撮影パラメータの中心値からのプラス方向への変化の段階の加算量である、パラメータ変化量合計値を算出する。
【００４７】
次にステップＳ４０２では、Ｓ４０１で算出したパラメータ変化量合計値が、最も小さい画像データに対し、画像処理を行う。
【００４８】
ステップＳ４０３では、ステップＳ４０２で処理した画像を複製してＮＭ枚の表示用画像を、画像合成部１０８において生成する。
【００４９】
ステップＳ４０４では、ステップＳ４０３で生成した複数枚の表示用画像を表示部１００に表示して、第１の表示を実行する。
【００５０】
ステップＳ４０５では、ステップＳ４０１で算出したパラメータ変化量合計値が小さい方から順にＰ＋１番目の画像を処理して表示用画像を生成する。なお、Ｐは整数であり、初期値は１である。Ｐが同じ値となる対象画像が複数ある場合は、その全ての対象画像が処理される。
【００５１】
ステップＳ４０６では、現在表示部１１１に表示している表示用画像からステップＳ４０５で処理した画像の表示領域として、予め設定されている領域のみ、ステップＳ４０５で処理した画像に置き換える処理を実行する。
【００５２】
ステップＳ４０７では、ステップＳ４０６で生成した表示用画像を表示部１１１に置き換えて表示する。
【００５３】
ステップＳ４０８では、撮像した全画像データの処理が完了したか否かを判定する。
【００５４】
全画像データの処理が完了している場合は、本フローチャートを終了する。
【００５５】
全画像データの処理が完了していない場合は、ステップＳ４０９に進む。
【００５６】
ステップＳ４０９では、Ｐの値をプラス１して、ステップＳ４０５に戻る。これらの一連の処理を連続して実行することで、表示用画像を順次置き換える表示を行う（第２の表示）。
【００５７】
なお、ステップＳ４０２において、パラメータ変化量合計値が、最も小さい画像データに対し、画像処理を行うとしているが、最も大きい値としてもよい。その場合、ステップＳ４０５において、パラメータ変化量合計値が大きい方から順にＰ−１の画像を処理することにより、上述した例とは逆の順番で表示用画像を変化させることが可能となる。
【００５８】
また、ステップＳ４０６からステップＳ４０７の間で、画像の置き換えを行う画像領域に対し、特殊な視覚効果を与えた画像、例えば画像領域周囲を他と違う色で囲んだ画像を生成し、該生成画像を表示するようにしてもよい。なお、ユーザに画像の置き換えを通知できる態様であれば、上記の例には限らない。
【００５９】
表示用画像を置き換える際に、置き換え対象の画像領域に対して画像の置き換えを通知する表示を行うことにより、ステップＳ４０７で画像が置き換えられる前に、変化する画像の領域をユーザは知ることができ、どの領域に着目すればよいかを把握できるという効果を有する。
【００６０】
上述したように、第１の実施形態による撮像装置では、まず、ブラケット撮影により撮影されたＮＭ枚の撮影画像データに対し基準の撮影パラメータに対応した１枚の画像を複製し並べた表示用画像を表示する（第１の表示）。そして、基準の撮影パラメータに対応する画像以外の画像に関して、前記基準の撮影パラメータの値を始点として、前記撮影パラメータの値が大きくなる順または小さくなる順に、画像処理が順次完了次第、前記表示用画像から画像処理が完了した画像に、該処理画像の表示領域として予め設定されている領域のみ置き換える表示を行う（第２の表示）。
【００６１】
この結果、ブラケット撮影において、複数枚の表示用画像が用意できるまで、基準画像の複製を一旦表示することで表示までの時間を短くすることができ、ユーザが感じるストレスを軽減することが可能である。また、その後に、表示用画像を順次置き換える表示を行うことで、ユーザは表示の変化を視認させることができ、全ての画像の生成、表示までのユーザへのストレスを軽減することが可能となる。
【００６２】
なお、上述の説明においては、最小値の撮影パラメータまたは最大値の撮影パラメータを基準の撮影パラメータとして、基準の撮影パラメータに対応した１枚の表示用画像を用いて複製した複数枚の表示用画像を表示する第１の表示を行った後に、前記生成手段によって生成されたそれぞれの表示用画像に順に置き換えて表示する第２の表示を行うようにしたが、基準となる撮影パラメータは、平均値の撮影パラメータであってもよく、その値が予め設定された任意の値であってもよい。
【００６３】
（第２の実施形態）
以下、本発明の第２の実施形態について説明する。
【００６４】
第１の実施形態では特定のアルゴリズムに従い、撮影画像の画像処理を行う順番を決定し、表示用画像を変化させていた。本実施形態では予め画像処理を行う順番が定義された定義ファイルに従い、画像処理を行う実施形態について述べる。なお、以下の説明において、第１の実施形態と同一の構成については説明を省略する。
【００６５】
実施形態２における撮像装置１００を用いたブラケット撮影画像表示処理について図４に示すフローチャートを用いて説明する。
【００６６】
図４のフローチャートに示す処理は、撮像装置１００のＣＰＵ１０１が入力信号やプログラムに従い、撮像装置１００の各部を制御することにより実現される。図４のフローチャートは、Ｍ種類の撮影パラメータをＮ段階に変化させるブラケット撮影終了後、画像処理が行われる前に実行される。
【００６７】
まずステップＳ５０１では、ブラケット撮影時の撮影条件に従いＲＯＭ１０６から画像処理の順番が定義された定義ファイルを読み出す。
【００６８】
ステップＳ５０２では、Ｓ５０１で読み出した定義ファイルに定義された順番に従い最初の画像データの画像処理を行う。定義ファイルには、最初に処理される画像から最後に処理される画像まで、画像処理の順番が定義されている。また、一度に画像処理が行われる画像データの単位は一枚でも複数枚でもよく特に問わない。
【００６９】
ステップＳ５０３では、ステップＳ５０２で処理した画像データを、画像合成部１０８において、Ｎ＾Ｍ並べた表示用画像を生成する。
【００７０】
ステップＳ５０４では、ステップＳ５０３で生成した表示用画像を表示部１１１に表示する。
【００７１】
ステップＳ５０５では、定義ファイルに定義された順番に従いＰ＋１番目の画像データを処理する。なお、Ｐは整数であり、初期値は１である。
【００７２】
ステップＳ５０６では、現在表示部１１１に表示している表示用画像から、ステップＳ５０５で処理した画像データの表示領域として、予め設定されている領域のみ、ステップＳ４０５で処理した画像に置き換えた表示用画像を生成する。
【００７３】
ステップＳ５０７では、ステップＳ５０６で生成した表示用画像を表示部１１１に表示する。
【００７４】
ステップＳ５０８では、撮像した全画像データの処理が完了したか否かを判定する。
【００７５】
全画像の処理が完了している場合は、本フローチャートを終了する。
【００７６】
全画像の処理が完了していない場合は、ステップＳ５０９に進む。
【００７７】
ステップＳ５０９では、Ｐの値をプラス１し、ステップＳ５０５に戻る。
【００７８】
上述したように、第２の実施形態による撮像装置では、ブラケット撮影時、予め設定された画像処理順番定義ファイルに従い、画像処理を行う手段を提供する。
【００７９】
この結果、表示部１１１に表示される画面の遷移に、特定のアルゴリズムに従った規則性を持たせずに様々な変化をもたせることが可能となる。
【００８０】
なお、上記の実施形態で説明したように、撮影パラメータの値が大小の順になるように表示用画像を並べて表示する形態に限らず、撮影パラメータの値がランダムになるように表示用画像を並べて表示しても良い。
【００８１】
なお、本発明の実施形態におけるフローチャート図に示した各処理は、各処理の機能を実現するためのコンピュータプログラムを画像処理装置がメモリから読み出して装置内のＣＰＵを実行することによっても実現できる。
【００８２】
上記プログラムは、前述した機能の一部を実現する為のものであっても良い。さらに、前述した機能をコンピュータシステムに既に記録されているプログラムとの組合せで実現できるもの、いわゆる差分ファイル（差分プログラム）であっても良い。
【００８３】
また、フローチャート図に示した各処理の全部または一部の機能は、専用のハードウェアにより実現してもよい。また、フローチャート図に示した各処理の機能を実現する為のプログラムをコンピュータ読み取り可能な記録媒体に記録して、この記録媒体に記録されたプログラムをコンピュータシステムに読み込ませ、実行することによって各処理を行っても良い。なお、ここでいう「コンピュータシステム」とは、ＯＳや周辺機器等のハードウェアを含むものとする。
【００８４】
ここで、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置を含む。さらに、インターネット等のネットワークや電話回線等の通信回線を介してプログラムが送信された場合のサーバやクライアントとなるコンピュータシステム内部の揮発メモリ（ＲＡＭ）のように、一定時間プログラムを保持しているものも含むものとする。
【００８５】
また、上記プログラムは、このプログラムを記憶装置等に格納したコンピュータシステムから、伝送媒体を介して、或いは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００８６】
また、上記のプログラムを記録したコンピュータ読み取り可能な記録媒体等のプログラムプロダクトも本発明の実施形態として適用することができる。上記のプログラム、記録媒体、伝送媒体およびプログラムプロダクトは、本発明の範疇に含まれる。
【００８７】
以上が本発明の実施形態の説明であるが、本発明は、本発明の技術思想の範囲内において、上記実施形態に限定されるものではなく、特許請求の範囲に示した範囲で種々の変更が可能である。
【符号の説明】
【００８８】
１００  撮像装置
１０１  ＣＰＵ
１０２  撮像素子
１０３  Ａ／Ｄ変換回路
１０４  タイミング発生回路
１０５  ＲＡＭ
１０６  ＲＯＭ
１０７  画像処理部
１０８  表示画像生成部
１０９  静止画撮像スイッチ
１１０  操作部
１１１  表示部
１２３  記録部
【図１】
0006399891.tif 000002
【図２】
0006399891.tif 000003
【図３】
0006399891.tif 000004
【図４】
0006399891.tif 000005